(57)【要約】      （修正有）【課題】  既設の折り畳み式の布ホースを用いた屋内消火栓を簡単且つ容易に、然も短時間で安価に保形ホースを用いた易操作性１号消火栓に改修できるようにする。【解決手段】  ローラ軸１を挿通せしめた回転自在な一対の筒状のガイドローラ２と、屋内消火栓の格納箱５の底板５ａ上に載置される下部架台３と、格納箱５の背板５ｂに固定したホース掛取付台６へ固定される上部架台４とから成り、前記下部架台３と上部架台４との間でローラ軸１を挿通せしめた一対のガイドローラ２を一定の間隔を置いて並列状に且つ回転可能に支持する構成のツインローラユニットＡを用いて、既設の屋内消火栓を改修する。【選択図】  図３
2006223447.tif 000002
【特許請求の範囲】
【請求項１】
ローラ軸を挿通せしめた回転自在な一対の筒状のガイドローラと、屋内消火栓の格納箱の底板上に載置される下部架台と、格納箱の背板に固定したホース掛取付台へ固定される上部架台とから成り、前記下部架台と上部架台との間でローラ軸を挿通せしめた一対のガイドローラを一定の間隔を置いて並列状に且つ回転可能に支持する構成としたことを特徴とするツインローラユニット。
【請求項２】
各ガイドローラに挿通せしめたローラ軸を夫々上下に分割して下部ローラ軸及び上部ローラ軸とし、前記下部ローラ軸の下端部を下部架台に取り付けると共に、前記上部ローラ軸の上端部を上部架台に取り付けて上部架台及び上部ローラ軸をガイドローラに対して上下方向へスライド自在とし、ツインローラユニットを高さ調整自在な構成としたことを特徴とする請求項１に記載のツインローラユニット。
【請求項３】
上部架台に、格納箱のホース掛取付台に形成したボルト挿通孔に合致する横長のボルト挿通用長孔を形成したことを特徴とする請求項２に記載のツインローラユニット。
【請求項４】
上部架台にローラ軸を挿通せしめたガイドローラの上端部をスライド自在に且つ回転自在に挿入し、当該上部架台をホース掛取付台へ上下位置調整自在に固定可能な構成としたことを特徴とする請求項１に記載のツインローラユニット。
【請求項５】
ホース掛を取り外すことにより、既設の屋内消火栓の格納箱の背板に固定されているホース掛取付台を露出させた後、予め組み立ててユニット化したツインローラユニットを格納箱内に配設し、当該ツインローラユニットの下部架台を格納箱の底板に固定すると共に、ツインローラユニットの上部架台を前記露出せしめたホース掛取付台へ固定し、上部架台と下部架台との間で回転自在に支持された並列状のガイドローラと格納箱の背板との間に保形ホースの巻取り収納空間を形成する構成としたことを特徴とするツインローラユニットを用いた屋内消火栓の改修方法。
【請求項６】
ホース掛を取り外すことにより、既設の屋内消火栓の格納箱の背板に固定されているホース掛取付台を露出させた後、ツインローラユニットの下部架台、ローラ軸を挿通せしめた一対のガイドローラ及び上部架台を順次格納箱内に配設して格納箱内でツインローラユニットを組み立ててユニット化し、当該ツインローラユニットの下部架台を格納箱の底板に固定すると共に、ツインローラユニットの上部架台を前記露出せしめたホース掛取付台へ固定し、上部架台と下部架台との間で回転自在に支持された並列状のガイドローラと格納箱の背板との間に保形ホースの巻取り収納空間を形成する構成としたことを特徴とするツインローラユニットを用いた屋内消火栓の改修方法。
【発明の詳細な説明】
【技術分野】
【０００１】
本発明は、ツインローラユニットと、これを用いた屋内消火栓の改修方法に関するものであり、既設の屋内消火栓を一人操作が可能な保形ホースを用いた易操作性１号消火栓に改修する際に用いるツインローラユニットと、これを用いて既設の屋内消火栓を簡単且つ容易に易操作性１号消火栓に転換できるようにした改修方法に関するものである。
【背景技術】
【０００２】
屋内消火栓としては、従前から図９に示すような形態の屋内消火栓（１号消火栓）が多く利用されている（例えば、特許文献１参照）。この種の屋内消火栓（１号消火栓）は、永い使用実績と優れた実用的効用を具備するものの、火災発生の緊急時に単独操作が出来ないと云う基本的な難点を有している。
【０００３】
即ち、緊急時の放水に際しては、先ず一人が格納箱５の扉体（図示省略）を開放し、ホース掛１１の先端部を格納箱５の外方へ回動させ、放水ノズル１０をホース掛１１先端部のノズル掛け１２から引き外すと共に、ホース掛１１から布ホース１３を脱離させ、これを引き伸ばしつつ放水ノズル１０の先端を火災地点へ向けて構える。
【０００４】
その後、他の一人が消火栓ポンプ起動押釦１４を操作して消火栓ポンプ（図示省略）を起動させると共に、開閉弁９を手動開放する。これにより、前記放水ノズル１０から放水が開始される。尚、図９に於いて、６はホース掛取付台、１５はホース掛１１の固定用ボルト、１６は表示ランプ、１７は警報ベルである。
【０００５】
このように、図９の形態の屋内消火栓（１号消火栓）にあっては、少なくとも二人の操作者が居ないと円滑に放水を行うことができないうえ、布ホース１３の折れ曲りにより送水障害が生じるなど、多くの問題が存在する。
【０００６】
一方、上述のような問題を解決するものとして、図１０に示すように保形ホース８を用いた単独操作の可能な易操作性１号消火栓が開発され、実用に供されている。この図１０に示す型式の易操作性１号消火栓は、所謂保形ホース８を使用しているために保形ホース８が湾曲状態であっても通水が可能である。
【０００７】
そのため、火炎の発生時には、単独で放水ノズル１０を筒状のローラ１８の間から格納箱５外へ取り出し、放水ノズル１０を保持した状態で開閉弁９（ポンプ起動スイッチ付）の開放を行うと共に、保形ホース８を引き出しつつ火炎地点へ近づき、放水ノズル１０を開けて放水を行う。このとき、消火栓ポンプは、開閉弁９の開放操作に連動してポンプ起動スイッチ（図示省略）により自動的に起動される。
【０００８】
図１０の形態の易操作性１号消火栓を用いた消火活動は、通常放水ノズル１０の取り出し、開閉弁９の開放（これに連動して消火栓ポンプが起動）、保形ホース８の引き伸ばしの順で行われるが、各機器類の操作は如何なる順序であっても良く、単独で迅速且つ円滑に放水を行うことが可能である。
【０００９】
尚、図１０において、１４は火災報知器の押釦、１８は筒状のローラ、１９はローラ軸、２０はローラ軸連結体である。
又、前記ローラ軸１９の下端は、格納箱５の底板５ａに、更にローラ軸１９の上端は、ローラ軸連結体２０を介して格納箱５の背板５ｂへ夫々固定されており、当該ローラ軸１９へ筒状のローラ１８を被せることにより、ローラ１８が回転可能に支持されている。
【００１０】
上述のように、保形ホース８を用いた単独操作が可能な屋内消火栓（以下、易操作性１号消火栓と呼ぶ）は、従前の図９の如き形態の消火屋内栓（１号消火栓）に比較して操作性が極めて高い。そのため、近年従前の屋内消火栓を易操作性１号消火栓に改修する要望が高まりつつあり、現実にも多数の改修工事が実施されて来た。
【００１１】
例えば、既設の露出型屋内消火栓の改修に際しては、先ず格納箱５を壁面へ固定する固定用ボルト・ナット（図示省略）を弛めて格納箱５を壁面から取り外すと共に、ホース掛１１と格納箱５に溶接止めされているホース掛取付台６を格納箱５の背板５ｂから取り外す。
【００１２】
次に、図１０のローラ軸連結体２０を格納箱５へ固定するためのボルト孔を格納箱５の背板５ｂに穿孔し、当該ボルト孔に背板５ｂの裏側よりローラ軸連結体２０の取付用ボルト（図示省略）を挿通させ、このボルト頭部を背板５ｂへ溶接により固定する。
尚、このとき、格納箱５の壁面への固定用ボルトの挿通孔と前記ローラ軸連結体２０の取付用ボルトの挿通孔とが相互に干渉する場合には、前者の格納箱５固定用ボルトの挿通孔の位置を変更し、壁面側に新たな格納箱固定用ボルトの引留アンカーを植設する。
【００１３】
その後、ローラ軸連結体２０の取付用ボルトの溶接箇所を塗装等により補修し、塗装が乾燥すると、格納箱５を再度壁面へ取り付けると共に、ローラ軸連結体２０を取付用ボルトにより格納箱５へ固定する。又、このローラ軸連結体２０へローラ軸１９及びローラ１８を取り付け、最後に所定長さの保形ホース８をローラ１８と格納箱５の背板５ｂとの空間部へ適宜に巻取り収納する。
【００１４】
しかし、従前のこの種屋内消火栓の改修方法にあっては、事前の詳細寸法調査、別注保形ホース収納ユニットの製作、格納箱５の取り外し、ホース掛取付台６の取り外し、格納箱５の取り外し跡や現地溶接部の塗装、改造後の格納箱５の再取り付け、ローラ軸連結体２０の取り付け等に多くの手数を必要とし、改修費用の引き下げ及び改修工期の短縮を図れないと云う問題がある。
【００１５】
又、既設の屋内消火栓にあっては、色々なサイズの格納箱５があり、そのホース収納空間も大きいものや小さいものもあるため、屋内消火栓の改修時に格納箱５のサイズに応じてその都度ローラ１８やローラ軸１９等を製作する必要があり、多くの手数を必要とすると云う問題がある。
【００１６】
更に、壁面埋込型（差込型）屋内消火栓にあっては、格納箱５そのものの壁面からの取り外しが容易でなく、躯体工事も必要となって工期が長くなり、改修工事中に未警戒部分の火災に対応できない状況が発生し、現実には改修を断念する場合が多く生じると云う問題がある。
【００１７】
その結果、易操作性１号消火栓に改修したいと云う要望が高いにも拘わらず、これに迅速且つ十分に対応することができず、折り畳み式の布ホースを用いた旧型の屋内消火栓が多数残されていると云う実情にある。
【００１８】
【特許文献１】実開平７−３４８５２号公報
【発明の開示】
【発明が解決しようとする課題】
【００１９】
本発明は、従前の布ホースを用いた従来型の屋内消火栓を保形ホースを用いた易操作性１号消火栓に改修する上での上述の如き問題、即ち、改修に手数が掛かり、改修費の引き下げ及び工期の短縮を図れないうえ、埋設型屋内消火栓では改修自体が困難なケースが多いと云う問題を基本的に解決せんとするものであり、その目的は、露出型又は埋込型の屋内消火栓であっても、迅速且つ容易に、然も安価に易操作性１号消火栓に改修することができるようにしたツインローラユニットと、これを用いた屋内消火栓の改修方法を提供することにある。
【課題を解決するための手段】
【００２０】
本発明の請求項１に記載のツインローラユニットは、ローラ軸を挿通せしめた回転自在な一対の筒状のガイドローラと、屋内消火栓の格納箱の底板上に載置される下部架台と、格納箱の背板に固定したホース掛取付台へ固定される上部架台とから成り、前記下部架台と上部架台との間でローラ軸を挿通せしめた一対のガイドローラを一定の間隔を置いて並列状に且つ回転可能に支持する構成としたことを発明の基本構成とするものである。
【００２１】
本発明の請求項２の発明は、請求項１の発明に於いて、各ガイドローラに挿通せしめたローラ軸を夫々上下に分割して下部ローラ軸及び上部ローラ軸とし、前記下部ローラ軸の下端部を下部架台に取り付けると共に、前記上部ローラ軸の上端部を上部架台に取り付けて上部架台及び上部ローラ軸をガイドローラに対して上下方向へスライド自在とし、ツインローラユニットを高さ調整自在な構成としたものである。
【００２２】
本発明の請求項３の発明は、請求項２の発明に於いて、上部架台に、格納箱のホース掛取付台に形成したボルト挿通孔に合致する横長のボルト挿通用長孔を形成したものである。
【００２３】
本発明の請求項４の発明は、請求項１の発明に於いて、上部架台にローラ軸を挿通せしめたガイドローラの上端部をスライド自在に且つ回転自在に挿入し、当該上部架台をホース掛取付台へ上下位置調整自在に固定可能な構成としたことを発明の基本構成とするものである。
【００２４】
本発明の請求項５に記載の屋内消火栓の改修方法は、ホース掛を取り外すことにより、既設の屋内消火栓の格納箱の背板に固定されているホース掛取付台を露出させた後、予め組み立ててユニット化したツインローラユニットを格納箱内に配設し、当該ツインローラユニットの下部架台を格納箱の底板に固定すると共に、ツインローラユニットの上部架台を前記露出せしめたホース掛取付台へ固定し、上部架台と下部架台との間で回転自在に支持された並列状のガイドローラと格納箱の背板との間に保形ホースの巻取り収納空間を形成する構成としたことを発明の基本構成とするものである。
【００２５】
本発明の請求項６に記載の屋内消火栓の改修方法は、ホース掛を取り外すことにより、既設の屋内消火栓の格納箱の背板に固定されているホース掛取付台を露出させた後、ツインローラユニットの下部架台、ローラ軸を挿通せしめた一対のガイドローラ及び上部架台を順次格納箱内に配設して格納箱内でツインローラユニットを組み立ててユニット化し、当該ツインローラユニットの下部架台を格納箱の底板に固定すると共に、ツインローラユニットの上部架台を前記露出せしめたホース掛取付台へ固定し、上部架台と下部架台との間で回転自在に支持された並列状のガイドローラと格納箱の背板との間に保形ホースの巻取り収納空間を形成する構成としたものである。
【発明の効果】
【００２６】
本発明に於いては、折り畳み式布ホースを用いた既設の屋内消火栓には必ず設けられているホース掛取付台を有効に活用し、当該ホース掛取付台へツインローラユニットを取り付け固定する構成としているため、既設の格納箱を壁面等から取り外しすることなしにツインローラユニットを用いて保形ホースを巻込み収納するための空間部を格納箱内に形成することができ、露出型、埋設型に関係なく、易操作性１号消火栓への改修を迅速且つ簡単に行える。
【００２７】
又、本発明に係るツインローラユニットは、ローラ軸を挿通せしめた回転自在な一対の筒状のガイドローラと、ローラ軸を挿通せしめたガイドローラの下端部を回転自在に支持する下部架台と、ローラ軸を挿通せしめたガイドローラの上端部を回転自在に支持する上部架台とから成る極めて簡単な構造に形成されており、上部架台を既設の屋内消火栓の格納箱に固定されているホース掛取付台へボルト・ナット用いて固定することにより、極めて簡単に格納箱内へ取り付けすることができる。
更に、本発明に係るツインローラユニットは、スライド自在に構成して高さ調整できるようにしているため、デザインにより格納箱のホース収納空間が大きくなっているものや小さくなっている屋内消火栓であっても、ツインローラユニットのサイズを既設の屋内消火栓の格納箱のサイズに簡単且つ容易に合わせることができ、一つのツインローラユニットを色々なサイズの格納箱に簡単且つ確実に取り付けることができる。
【発明を実施するための最良の形態】
【００２８】
以下、本発明の実施の形態を図面に基づいて詳細に説明する。
図１乃至図４は本発明の第１実施形態に係るツインローラユニットＡを示し、当該ツインローラユニットＡは、折り畳み式布ホースを用いた既設の屋内消火栓を一人操作が可能な保形ホースを用いた易操作性１号消火栓に改修する際に用いるものであり、ローラ軸１を挿通せしめた回転自在な一対の筒状のガイドローラ２と、格納箱５の底板５ａ上に載置され、下部ローラ支持部３ａを備えた下部架台３と、格納箱５の背板５ｂに固定したホース掛取付台６へ固定され、上部ローラ支持部４ａを備えた上部架台４等から形成されており、ローラ軸１を挿通せしめたガイドローラ２は、下部架台３の下部ローラ支持部３ａと上部架台４の上部ローラ支持部４ａとの間で並列状に且つ回転可能に支持されている。
又、このツインローラユニットＡは、その高さを調整できるように上下方向に一定の寸法（この例では１５０ｍｍ）だけスライド自在に構成されており、既設の屋内消火栓の格納箱５に取り付ける際に高さ調整されて色々なサイズの格納箱５に取り付け固定できるようになっている。
【００２９】
具体的には、前記ローラ軸１は、図１及び図２に示す如く、適宜の長さを有する金属パイプ又は金属棒等により形成されており、下端部分で上下に分割されて下部架台３に取り付けられる下部ローラ軸１ａと上部架台４に取り付けられる上部ローラ軸１ｂとから成る。
又、ガイドローラ２は、適宜の長さを有する金属パイプにより形成されており、ローラ軸１（下部ローラ軸１ａ及び上部ローラ軸１ｂ）に回転自在に外挿されている。このガイドローラ２の長さ寸法は、前記ローラ軸１の長さ寸法（下部ローラ軸１ａと上部ローラ軸１ｂの合計寸法）より若干小さく選定されている。
【００３０】
前記下部架台３は、図１及び図２に示す如く、両端部が下方へＬ字状に折り曲げられていると共に、後端部が上方へ折り曲げられた長方形状の基板３ｂと、基板３ｂの前端部両端に挿通され、溶接により基板３ｂに固着された一対の短円筒状の下部ローラ支持部３ａとから形成されており、下部ローラ支持部３ａの内径寸法は、下部ローラ支持部３ａに下部ローラ軸１ａを挿着できる寸法に選定されている。
又、下部架台３の奥行寸法は、屋内消火栓の格納箱５の内側奥行寸法よりやや小さ目に選定されており、格納箱５の底板５ａ上に載置した状態で使用に供される。
【００３１】
前記上部架台４は、図１及び図２に示す如く、前面板４ｂ、背面板４ｃ、上面板４ｄ、下面板４ｅ及び左右の側面板４ｆにより長方形状の薄い箱型に形成されており、下面板４ｅの両端部には上部ローラ軸１ｂの上端部を挿入するための二つの挿入孔４ａが形成されている。各挿入孔４ａは、下部架台３の下部ローラ支持部３ａに夫々対向する状態で形成されており、この挿入孔４ａと上面板４ｄの挿入孔４ａに対向する部分が上部ローラ支持部４ａを形成することになる。即ち、上部ローラ軸１ｂは、その上端部を上部架台４の下面側から下面板４ｅの挿入孔４ａに挿入し、その上端を上面板４ｄの裏面に溶接することにより上部架台４に固定支持されている。
又、上部架台４の背面板４ｃには、上部架台４を既設の格納箱５内に設けられているホース掛取付台６へ固定するための固定用ボルト・ナット７のボルト挿通用長孔４ｇが形成されている。このボルト挿通用長孔４ｇは、ホース掛取付台６に形成したボルト挿通孔に確実に合致するように横長に形成されている。
【００３２】
そして、前記ツインローラユニットＡは、組み立ててユニット化したときにその上部架台４及び上部ローラ軸１ｂが一定の寸法（この例では１５０ｍｍ）だけ上下方向へスライド自在になっており、既設の屋内消火栓の格納箱５に取り付ける際に高さ調整されて色々なサイズの格納箱５に取り付け固定できるようになっている。
即ち、ツインローラユニットＡは、下部ローラ軸１ａの下端部を下部架台３の短円筒状の下部ローラ支持部３ａに挿着して下部架台３に下部ローラ軸１ａを対向状に立設すると共に、上部ローラ軸１ｂの上端部を上部架台４の挿入孔４ａに挿入して溶接により上部ローラ軸１ｂを下部架台３に取り付け固定し、ガイドローラ２を前記上部ローラ軸１ｂ及び下部ローラ軸１ａに回転自在に外挿することにより、組み立てられる。このとき、上部架台４及び上部ローラ軸１ｂは、ガイドローラ２に対して一定の距離だけ上下動できるようになっており、これによってホース掛取付台６と上部架台４との間の高さ位置を調整することができる。
【００３３】
次に、上述したツインローラユニットＡを用いて図９に示す既設の屋内消火栓（１号消火栓）を易操作性１号消火栓に改修する工法について説明する。
先ず、既設の屋内消火栓の格納箱５の扉体（図示省略）を開放するか若しくは取り外し、ホース掛１１から布ホース１３を取り除く。その後、ホース掛１１の固定用ボルト１５を取り外してホース掛１１を取り除く。これにより、格納箱５の背板５ｂに溶接により固定されているホース掛取付台６が露出する。
【００３４】
次に、予め組み立ててユニット化したツインローラユニットＡ（図１及び図に示すもの）を格納箱５内のホース収納空間に配設し、当該ツインローラユニットＡの下部架台３を格納箱５の底板５ａ上の所定位置へ取り付け固定する。尚、下部架台３の固定手段は、下部架台３をリベットにより格納箱５の底板５ａに固定しても良く、或いは下部架台３を溶接や嵌め込みにより格納箱５の底板５ａに固定するようにしても良い。又、下部架台３を接着剤により格納箱５の底板５ａに固定するようにしても良い。
【００３５】
その後、上部架台４及びこれに固定した上部ローラ軸１ｂを上下方向へスライドさせて高さ調整し、上部架台４の背面板４ｃをホース掛取付台６へ固定用ボルト・ナット７により固定する。これにより、ツインローラユニットＡが、図１及び図２に示すように既設の格納箱５内に固定されることになり、上部架台４と下部架台３との間で回転自在に支持された並列状のガイドローラ２と格納箱５の背板５ｂとの間に保形ホース８の巻取り収納空間が形成される。尚、ガイドローラ２の下端部は、下部架台３の上面へ載置された状態になっている。
【００３６】
最後に、所定長さの保形ホース８をガイドローラ２と格納箱５の背板５ｂとの間の巻取り収納空間内へ巻き込み収納し、その基端を開閉弁９（ポンプ起動スイッチ付）へ接続すると共に、保形ホース８の先端側に放水ノズル１０を接続し、図１に示す如き形態に仕上げる。尚、先に保形ホース８を巻いたままの状態で格納箱５内にセットしておき、この状態でツインローラユニットＡを格納箱５内に収納して取り付け固定するようにしても良い。
【００３７】
本発明は、既設の屋内消火栓に設けられているホース掛取付台６を有効に活用し、当該ホース掛取付台６へ、予めユニット化したツインローラユニットＡを取り付け固定するようにしているため、既設の格納箱５を壁面等から取り外しすることなしにツインローラユニットＡを用いて保形ホース８を巻込み収納するための空間部を格納箱５内に形成することができ、露出型屋内消火栓、埋込型屋内消火栓に関係なく、既設の屋内消火栓を易操作性１号消火栓へ迅速且つ簡単に改修することができる。
又、本発明は、高さ調整自在に構成したツインローラユニットＡを使用しているため、色々なサイズの格納箱５にツインローラユニットＡを取り付けることができ、格納箱５のサイズに関係なく、易操作性１号消火栓への改修を簡単且つ良好に行える。然も、ツインローラユニットＡを使用すると、１号消火栓の格納箱５と易操作性１号消火栓の格納箱５が兼用できることになり、生産する格納箱５が一種類で済むと云う生産メリットが生じる。
【００３８】
図５及び図６は本発明の第２実施形態に係るツインローラユニットＡを示し、当該ツインローラユニットＡは、ローラ軸１を挿通せしめた回転自在な一対の筒状のガイドローラ２と、下部ローラ支持部３ａを備えた下部架台３と、上部ローラ支持部４ａを備えた上部架台４等から形成されており、ローラ軸１を挿通せしめたガイドローラ２は、下部架台３の下部ローラ支持部３ａと上部架台４の上部ローラ支持部４ａとの間に回転可能に支持されている。
【００３９】
具体的には、前記ローラ軸１は、適宜の長さを有する金属パイプ又は金属棒等により形成されており、又、ガイドローラ２は、適宜の長さを有する金属パイプにより形成されており、ローラ軸１に回転自在に外挿されている。尚、ガイドローラ２の長さ寸法は、ローラ軸１の長さ寸法より若干小さく選定されている。
【００４０】
前記下部架台３は、長方形状の基板３ｂと、基板３ｂの前端部両端に溶接により固定した一対の短円筒状の下部ローラ支持部３ａとから形成されており、下部ローラ支持部３ａの内径寸法は、ガイドローラ２の外径寸法よりやや大き目に選定されている。
又、基板３ｂの奥行寸法は、屋内消火栓の格納箱５の内側奥行寸法よりやや小さ目に選定されており、格納箱５の底面上に載置した状態で使用に供される。
【００４１】
前記上部架台４は、逆Ｌ状に折り曲げした支持板４ｈと、一対の短円筒状の上部ローラ支持部４ａとから形成されており、支持板４ｈの水平状突出片４ｈ′の前端部の下面側に、上部ローラ支持部４ａが前記下部ローラ支持部３ａと対向するように溶接により固定されている。この上部ローラ支持部４ａの内径寸法は、ローラ軸１を挿通せしめたガイドローラ２の上端部をスライド自在に且つ回転自在に挿入できるように選定されている。
又、支持板４ｈの垂直状突出片４ｈ″には、上部架台４を既設の格納箱５内に取り付けられているホース掛取付台６へ固定するための固定用ボルト・ナット７のボルト挿通用長孔４ｇが設けられている。このボルト挿通用長孔４ｇは、ホース掛取付台６に形成したボルト挿通孔に合致し易いように縦長に形成されている。
【００４２】
尚、前記下部架台３と上部架台４との間の距離は、上部ローラ支持部４ａの高さ寸法の略１／２に相当する距離だけ上下方向に微調整することができ、これによってホース掛取付台６と上部架台４の垂直状突出片４ｈ″との間の高さ位置を調整する。
【００４３】
又、ホース掛取付台６のボルト挿通孔と垂直状突出片４ｈ″のボルト挿通用長孔４ｇとの位置が合致しない場合には、垂直状突出片４ｈ″側に現場合せで別途にボルト挿通用長孔４ｇに代るボルト挿通孔を穿設する。
【００４４】
尚、前記下部架台３及び上部架台４の構成は、所定の間隔を置いて２本のガイドローラ２を回転自在に支持できると共に、上部架台４の取り付け高さを調整することにより、上・下両架台間の高さ寸法を１０〜２０ｍｍ程度変更可能なものであれば、如何なるものであっても良い。
【００４５】
図７は本発明の第３実施形態に係るツインローラユニットＡを示し、当該ツインローラユニットＡは、ローラ軸１を挿通せしめた回転自在な一対の筒状のガイドローラ２と、下部ローラ支持部３ａを備えた下部架台３と、上部ローラ支持部４ａを備えた上部架台４等から形成されており、ローラ軸１を挿通せしめたガイドローラ２は、下部架台３の下部ローラ支持部３ａと上部架台４の上部ローラ支持部４ａとの間に回転可能に支持されている。このツインローラユニットＡは、第２実施形態に係るツインローラユニットＡと同様構造に構成されており、ローラ軸１及びガイドローラ２が第２実施形態に係るツインローラユニットＡのローラ軸１及びガイドローラ２と同じに形成され、下部架台３及び上部架台４の形状及び構造を変えたものである。
【００４６】
即ち、前記下部架台３は、長手方向の端部を夫々異なる方向（上・下方向）へ折り曲げした四角状の基板３ｂより形成されており、その前端部近傍にローラ軸１及びこれに被せたガイドローラ２の下端部が回転自在に挿入される二つの挿通孔３ａが形成されている。この二つの挿通孔３ａが下部ローラ支持部３ａを形成することになる。
【００４７】
又、前記上部架台４は、長方形状の薄い箱型に形成されており、その下面側の両側前端部にローラ軸１及びこれに被せたガイドローラ２の上端部がスライド自在に且つ回転自在に挿入される二つの挿入孔４ａが形成されている。この挿入孔４ａがガイドローラ２の上端部をスライド自在に且つ回転自在に支持する上部ローラ支持部４ａを形成することになる。更に、上部架台４の背面板４ｃには、当該背面板４ｃをホース掛取付台６へ固定するための縦長のボルト挿通用長孔４ｇが穿設されている。
【００４８】
図８は本発明の第４実施形態に係るツインローラユニットＡを示し、当該ツインローラユニットＡは、ローラ軸１を挿通せしめた回転自在な一対の筒状のガイドローラ２と、下部ローラ支持部３ａを備えた下部架台３と、上部ローラ支持部４ａを備えた上部架台４等から形成されており、ローラ軸１を挿通せしめたガイドローラ２は、下部架台３の下部ローラ支持部３ａと上部架台４の上部ローラ支持部４ａとの間に回転可能に支持されている。このツインローラユニットＡは、第２実施形態に係るツインローラユニットＡと同様構造に構成されており、ローラ軸１及びガイドローラ２が第２実施形態に係るツインローラユニットＡのローラ軸１及びガイドローラ２と同じに形成され、下部架台３及び上部架台４の形状及び構造を変えたものである。
【００４９】
即ち、前記下部架台３は、並列状に配置した上面が開放された一対の直方体状の下部支持部材３ｃと、両下部支持部材３ｃを並列状に連結する連結板３ｄと、両下部支持部材３ｃの前端部側に挿着した仕切板３ｅとから形成されており、当該仕切板３ｅにより両下部支持部材３ｃの前端部側にローラ軸１及びガイドローラ２を保持するための下部ローラ支持部３ａを形成した構成とされている。
【００５０】
同様に、前記上部架台４の方も、並列状に配置した下面が開放された一対の直方体状の上部支持部材４ｉと、両上部支持部材４ｉを並列状に連結する支持板４ｊと、両上部支持部材４ｉの前端部側に挿着した仕切板４ｋとから形成されており、当該仕切板４ｋにより両上部支持部材４ｉの前端部側にローラ軸１及びガイドローラ２をスライド自在に且つ回転自在に支持するための上部ローラ支持部４ａを形成した構成とされている。
【００５１】
尚、上部架台４の支持板４ｊには、当該支持板４ｊをホース掛取付台６へ固定するための縦長のボルト挿通用長孔４ｇが穿設されている。
【００５２】
次に、上述した第２乃至第４実施形態に係るツインローラユニットＡを用いて図９に示す既設の屋内消火栓（１号消火栓）を易操作性１号消火栓に改修する工法について説明する。
先ず、既設の屋内消火栓の格納箱５の扉体（図示省略）を開放するか若しくは取り外し、ホース掛１１から布ホース１３を取り除く。その後、ホース掛１１の固定用ボルト１５を取り外してホース掛１１を取り除く。これにより、格納箱５の背板５ｂに溶接により固定されているホース掛取付台６が露出する。
【００５３】
次に、下部架台３を格納箱５の底板５ａ上の所定位置へ嵌め込み固定する。尚、下部架台３の固定方法は、嵌め込み固定以外に溶接や接着剤等を利用することも可能である。
【００５４】
その後、下部架台３の両下部ローラ支持部３ａ内へローラ軸１を挿通せしめたガイドローラ２の下端部を挿入し、下部架台３にローラ軸１を挿通せしめたガイドローラ２を回転自在に立設する。更に、ローラ軸１及びガイドローラ２の上端部を上部架台４の上部ローラ支持部４ａ内へ挿入し、上部架台４へローラ軸１及びガイドローラ２を回転可能に支持させると共に、上部架台４の支持板４ｈ，４ｊ（又は背面板４ｃ）をホース掛取付台６へ固定用ボルト・ナット７により固定する。これにより、ツインローラユニットＡが、既設の格納箱５内に固定されることになり、上部架台４と下部架台３との間で回転自在に支持された並列状のガイドローラ２と格納箱５の背板５ｂとの間に保形ホース８の巻取り収納空間が形成される。
【００５５】
尚、上部架台４をホース掛取付台６へ固定するに際しては、ガイドローラ２が回転自在に保持されるよう上部架台４の高さ位置を調整する必要があることは勿論であり、万一ボルト挿通用長孔４ｇがホース掛取付台６側のボルト挿通孔と合致しない場合には、支持板４ｈ，４ｊ（又は背面板４ｃ）に現場合せでボルト挿通用長孔４ｇを形成する。
【００５６】
最後に、所定長さの保形ホース８をガイドローラ２と格納箱５の背板５ｂとの間の空間内へ巻き込み収納し、その基端部を開閉弁９（ポンプ起動用のスイッチ付）へ接続すると共に、保形ホース８の先端側に放水ノズル１０を接続する。尚、先に保形ホース８を巻いたままの状態で格納箱５内にセットしておき、この状態でツインローラユニットＡを格納箱５内で順次組み立ててユニット化するようにしても良い。
【００５７】
上記実施形態に於いては、ツインローラユニットＡの下部架台３、ローラ軸１を挿通せしめた一対のガイドローラ２及び上部架台４を順次格納箱５内に配設して格納箱５内でツインローラユニットＡを組み立ててユニット化し、当該ツインローラユニットＡの下部架台３を格納箱５の底板に固定すると共に、ツインローラユニットＡの上部架台４を格納箱５のホース掛取付台６へ固定するようにしたが、他の実施形態に於いては、予め組み立ててユニット化したツインローラユニットＡを格納箱５内に配設し、当該ツインローラユニットＡの下部架台３を格納箱５の底板５ａに固定すると共に、ツインローラユニットＡの上部架台４を前記露出せしめたホース掛取付台６へ固定するうにしても良い。
【００５８】
上記実施形態に於いては、ガイドローラ２を金属パイプにより形成するようにしたが、他の実施形態に於いては、ガイドローラ２を合成樹脂パイプにより形成するようにしても良い。
【産業上の利用可能性】
【００５９】
本発明は、主として既設の屋内消火栓の改修に利用されるものであるが、屋外消火栓の改修にも使用が可能である。
【図面の簡単な説明】
【００６０】
【図１】本発明の第１実施形態に係るツインローラユニットの正面図である。
【図２】図１に示すツインローラユニットの縦断側面図である。
【図３】図１に示すツインローラユニットを格納箱内に取り付け固定した屋内消火栓の扉体を取り外した状態の正面図である。
【図４】図３の縦断側面図である。
【図５】本発明の第２実施形態に係るツインローラユニットの縦断正面図である。
【図６】図５に示すツインローラユニットの縦断側面図である。
【図７】本発明の第３実施形態に係るツインローラユニットの斜視図である。
【図８】本発明の第４実施形態に係るツインローラユニットの斜視図である。
【図９】従前の折り畳み式布ホースを用いた屋内消火栓の扉体を取り外した状態の正面図である。
【図１０】従前の保形ホースを用いた易操作性１号消火栓の扉体を取り外した状態の正面図である。
【符号の説明】
【００６１】
Ａはツインローラユニット、１はローラ軸、１ａは下部ローラ軸、１ｂは上部ローラ軸、２はガイドローラ、３は下部架台、４は上部架台、４ｇはボルト挿通用長孔、５は格納箱、５ａは底板、５ｂは背板、６はホース掛取付台、８は保形ホース。
【図１】
2006223447.tif 000003
【図２】
2006223447.tif 000004
【図３】
2006223447.tif 000005
【図４】
2006223447.tif 000006
【図５】
2006223447.tif 000007
【図６】
2006223447.tif 000008
【図７】
2006223447.tif 000009
【図８】
2006223447.tif 000010
【図９】
2006223447.tif 000011
【図１０】
2006223447.tif 000012